(57)【要約】【課題】多数の測距点から所望の測距点を選択する操作が容易化されたオートフォーカスカメラを提供する。【解決手段】複数の測距点の中から撮影者がいずれかの測距点を選択可能なオートフォーカスカメラにおいて、光源から出射された光により複数の測距点の位置を表示可能なファインダと、撮影レンズに設けられた記憶媒体から撮影レンズの焦点距離を検出する焦点距離検出手段と、複数の測距点に対応する光源の全部または一部を選択的に駆動する光源駆動部と、焦点距離検出手段で検出された撮影レンズの焦点距離に応じ、光源駆動部を駆動して、ファインダに表示される測距点の数または／および配置を変更する制御手段とを有する。【選択図】　図５
2004078178.tif 000002
【特許請求の範囲】
【請求項１】
複数の測距点の中から撮影者がいずれかの測距点を選択可能なオートフォーカスカメラであって、
光源から出射された光により前記複数の測距点の位置を表示可能なファインダと、
撮影レンズの焦点距離を検出する焦点距離検出手段と、
前記複数の測距点に対応する光源の全部または一部を選択的に駆動する光源駆動部と、
前記焦点距離検出手段で検出された前記撮影レンズの焦点距離に応じ、前記光源駆動部を駆動して、前記ファインダに表示される前記測距点の数または／および配置を変更する制御手段と、
を有することを特徴とするオートフォーカスカメラ。
【請求項２】
前記撮影レンズは、カメラ本体に着脱可能に装着される請求項１記載のオートフォーカスカメラ。
【請求項３】
前記焦点距離検出手段が、前記撮影レンズに設けられた記憶媒体から、前記撮影レンズの焦点距離を検出する請求項１または請求項２記載のオートフォーカスカメラ。
【請求項４】
さらに、前記撮影者が前記ファインダに表示された前記複数の測距点の中から一つの測距点を選択するための測距点選択部と、　前記撮影者が前記測距点選択部を操作して前記一つの測距点を選択したとき、該選択測距点の表示を他の測距点の表示と異ならせる表示変更手段とを有する請求項１から３のいずれか１項記載のオートフォーカスカメラ。
【請求項５】
前記光源は２色ＬＥＤである請求項１から４のいずれか１項記載のオートフォーカスカメラ。
【請求項６】
前記光源は、前記複数の測距点と１対１に対応する複数の光源である請求項１から５のいずれか１項記載のオートフォーカスカメラ。
【請求項７】
前記撮影レンズの焦点距離が短くなるほど、撮影領域中央部からより離れた測距点までを手動選択可能である請求項１から６のいずれか１項記載のオートフォーカスカメラ。
【請求項８】
前記複数の測距点は、撮影領域中央部について対称に配置されている請求項１から７のいずれか１項記載のオートフォーカスカメラ。
【請求項９】
前記撮影レンズの焦点距離が広角になるほど、撮影領域中央部から最も離れた２つの測距点同士の距離が大きくなる請求項１から８のいずれか１項記載のオートフォーカスカメラ。
【請求項１０】
前記複数の測距点は、隣接する２つの測距点の距離がほぼ同一である請求項１から９のいずれか１項記載のオートフォーカスカメラ。
【発明の詳細な説明】
【０００１】
【技術分野】
本発明は、オートフォーカスカメラに関し、特に複数の測距点（オートフォーカス位置）を有するオートフォーカスカメラに関する。
【０００２】
【従来技術及びその問題点】
従来のオートフォーカス（自動焦点）タイプのカメラにおいては、測距点が少ない（１〜３点程度）ため、コサイン誤差が生じやすかった。ここで、コサイン誤差とは、画面中央の測距点を基準に合焦した後にカメラを角度θだけ振って構図を取り直した場合に、振った角度のコサイン分（ｃｏｓθ）だけ初めに合焦した位置より後ピンになってしまうという現象である。この現象は、焦点距離の短い広角レンズで顕著である。画角が大きいために振る角度も大きくなりがちだからである。また、レンズの絞りを開いていくなどして、被写界深度が浅くなっている場合にもこの現象は起こりやすい。これに対して、焦点距離の長い望遠レンズを使用した場合や被写界深度が深くなっている場合にはコサイン誤差が問題となる場合は比較的少ない。
【０００３】
一方、近年においては、撮影者のニーズに合わせ、より精密な測距を行うべく、オートフォーカスの測距点の多点化が進んでいる。測距点が多点化されたカメラにおいては、合焦後にカメラを振る必要が少ないためコサイン誤差が生じる可能性は低くなっている。
【０００４】
測距点が多点化したオートフォーカスカメラにおいては、ファインダ内の測距点の表示を見ながらカメラの背面に設けた測距点選択ボタンを操作して、所望の測距点を選択する。
【０００５】
しかし、多くの測距点の中から一つだけを選択するために測距点選択ボタンにより測距点を１つずつ移動させることは、撮影者に煩雑な作業を強いることとなるため好ましくない。
【０００６】
【発明の目的】
そこで本発明の目的は、多数の測距点から所望の測距点を選択する操作が容易化されたオートフォーカスカメラを提供することにある。
本発明の前記以外の目的及び本発明の特徴とするところは、添付図面を参照しつつ以下の詳細な説明を読むことにより、一層明確になるであろう。
【０００７】
【発明の概要】
本発明は、焦点距離可変のカメラでは、焦点距離が長くなり画角が小さくなるほど測距点の数が少なくて済み、逆に焦点距離が短くなり画角が大きくなるほどより多数の測距点が必要になるとの認識の元に、焦点距離に応じて測距点の数を増減しまたは／および配置を変更すれば便利であるとの着眼に基づいてなされたものである。
【０００８】
本発明は、複数の測距点の中から撮影者がいずれかの測距点を選択可能なオートフォーカスカメラにおいて、光源から出射された光により前記複数の測距点の位置を表示可能なファインダと、撮影レンズに設けられた記憶媒体から撮影レンズの焦点距離を検出する焦点距離検出手段と、複数の測距点に対応する光源の全部または一部を選択的に駆動する光源駆動部と、焦点距離検出手段で検出された撮影レンズの焦点距離に応じ、光源駆動部を駆動して、ファインダに表示される前記測距点の数または／および配置を変更する制御手段とを有することを特徴としている。
【０００９】
撮影レンズは、カメラ本体に着脱可能に装着されることが好ましい。
【００１０】
焦点距離検出手段が、撮影レンズに設けられた記憶媒体から、撮影レンズの焦点距離を検出するのが好ましい。
【００１１】
本発明のオートフォーカスカメラは、さらに、撮影者が前記ファインダに表示された複数の測距点の中から一つの測距点を選択するための測距点選択部と、撮影者が前記測距点選択部を操作して前記一つの測距点を選択したとき、該選択測距点の表示を他の測距点の表示と異ならせる表示変更手段（制御手段）とを有することが好ましい。
【００１２】
光源は２色ＬＥＤであることが好ましく、複数の測距点と１対１に対応する複数の光源であるとなお良い。
【００１３】
撮影レンズの焦点距離が短くなるほど、撮影領域中央部からより離れた測距点までを手動選択可能であることが好ましい。
【００１４】
複数の測距点は、撮影領域中央部について対称に配置されていることが好ましい。
【００１５】
撮影レンズの焦点距離が広角になるほど、撮影領域中央部から最も離れた２つの測距点同士の距離が大きくなることが好ましい。
【００１６】
複数の測距点は、隣接する２つの測距点の距離がほぼ同一であることが好ましい。
【００１７】
【発明の実施の形態】
以下、本発明にかかる実施形態を図面を参照しつつ詳しく説明する。
図１に示す本実施形態のカメラボディ１は、オートフォーカスタイプのデジタルカメラ（デジタルスチルカメラ）であって、レンズ（撮影レンズ）６を備える交換可能なレンズ鏡筒Ｌがマウント５に脱着可能に取り付けられている。なお、装着されるレンズ鏡筒は、単焦点レンズや焦点距離が任意変更可能なズームレンズのいずれも装着可能であるが、本実施形態においては、ズームレンズを搭載した、ズームレンズ鏡筒が装着されているものとして、以下説明する。
【００１８】
図２に示すように、レンズ６を透過してカメラボディ１に入射した被写体光は、第１ミラー７で殆どが反射され、ピント板（投影面）９を経てぺンタプリズム１１内で反射されて接眼レンズ群１３に至る。ピント板９、ペンタプリズム１１および接眼レンズ群１３によりファインダ光学系１４が構成される。また、ペンタプリズム１１で反射された光の一部は測光レンズ１５を経て測光素子１７（例えば、フォトダイオード、測光用ＩＣ）に入射される。なお、図２においては、カメラボディ１内における光の進路を一点鎖線で示している。
【００１９】
測光素子１７では、撮影者によって測光スイッチ（不図示）が押されると、入射した光量に応じた信号が露出制御ブロック１９に出力される。露出制御ブロック１９では、入力された信号に基づいて露出条件が決定され、決定した露出条件はＣＰＵ２１に送られる。ＣＰＵ２１は、露出条件にしたがって、絞り駆動機構２３、ミラー＆シャッタ駆動機構２５およびストロボ制御ブロック２７に向けて、駆動信号および制御信号を出力する。絞り駆動機構２３、ミラー＆シャッタ駆動機構２５では、撮影レンズ６が露出条件に応じた絞りで駆動され、シャッタ２９が露出条件に応じたシャッタースピードで駆動されるように、撮影レンズ６およびシャッタ２９に駆動信号を送る。ストロボ制御ブロック２７は、所定の制御信号が入力されたときに駆動信号を出力してストロボ３１を発光させる。
【００２０】
撮影者はファインダ光学系１４を覗くことによって、撮影レンズ６が包括する撮影範囲を確認することができるため、これを用いて所望の構図等を調節する。装着されているレンズ鏡筒Ｌがズームレンズの場合は、装レンズ６の焦点距離等が調節できる。焦点距離の調節は、ズームレンズ鏡筒Ｌに設けられたズームリングＬＲを撮影者が回すことによって行われる。レンズ鏡筒Ｌがズームレンズの場合、設定可能な各焦点距離に関する情報はズームレンズ鏡筒Ｌに設けられたレンズＲＯＭ３３（記憶媒体）に記憶されている一方、レンズ鏡筒Ｌ内に設けられたコード板（不図示）と、このコード板上をズームリングＬＲと連動して摺動するブラシ（不図示）を具備し、ブラシの導通状態に対応して、レンズＲＯＭ３３内の現在の焦点距離に対応した情報が格納されているアドレスが決定されて、そのアドレスに格納されている焦点距離に関する情報がカメラボディ側へ読み出し可能な構成となっている。なお、レンズ鏡筒Ｌが単焦点レンズを具備する場合は、コード板及びブラシは具備せず、またレンズＲＯＭ３３内には単一の焦点距離情報が格納されている。
【００２１】
レンズ鏡筒Ｌがカメラボディ１に装着されている状態では、レンズＲＯＭ３３は、不図示の信号線及びマウントに設けられた接点群とを介して、カメラボディ１内のＣＰＵ２１と電気的に接続されて、相互に情報通信が可能となっている。
【００２２】
撮影者がズームリングＬＲを回すと、レンズＲＯＭ３３に記憶された、現在の焦点距離情報が読み取り部としてのＣＰＵ２１に読み取られる。レンズ鏡筒Ｌが単焦点レンズの場合は、レンズＲＯＭ３３に記憶された焦点距離情報がＣＰＵ２１に読み取られる。ＣＰＵ２１は、テーブル３４に記憶された焦点距離と測距点の数および／または配置の対応表に基づいて、ＣＰＵ２１とともに光源駆動部を構成するスーパーインポーズブロック３５に、ＬＥＤ駆動信号を出力する。
【００２３】
一方、第１ミラー７の中央部のハーフミラー部を透過した光は、第２ミラー３７で反射されＡＦ（オートフォーカス）ユニット３９に入射する。ＣＰＵ２１は、ＡＦユニット３９に入射した光に応じて焦点調節の信号をＡＦ駆動機構４１に送る。ＡＦ駆動機構４１は、焦点調節信号に基づいて撮影レンズ６の繰り出し量を調整する。また、ＡＦユニット３９においては、撮影者が選択した測距点（ＡＦ位置）について焦点を調節する。測距点の選択については後述する。
【００２４】
撮影者が測光スイッチ／レリーズスイッチ４３を押すと、ＣＰＵ２１からミラー＆シャッタ駆動機構２５へ送られる駆動信号に基づいて、第１ミラー７及び第２ミラー３７はそれらの回転中心の周りを回転して、撮影光路から退避し（図２の点線）、シャッタ２９が開かれる。これにより、レンズ６を透過した被写体光は、直進して光学ローパスフィルタ４５を経てＣＣＤ（電荷結合素子）４７に入射する。一方、クロックジェネレータ４９を経てＣＰＵ２１からＣＣＤドライバ５１へ入力される駆動信号に基づいてＣＣＤ４７は動作を開始する。ＣＣＤ４７に入射した光の情報は、増幅器（ＡＭＰ）５３で増幅された後、露出制御ブロック１９とＡ／Ｄ変換ブロック５５とに送られる。Ａ／Ｄ変換ブロック５５でデジタル化された情報は信号処理ブロック５７、圧縮／非圧縮ブロック５９で処理された後に画像メモリ６１に保存される。所定の露出時間の経過と同時に、ミラー＆シャッタ駆動機構２５からの駆動信号に基づいて、シャッタ２９が閉じ、ＣＣＤ４７は動作を停止して撮影は終了する。
【００２５】
なお、カメラ内のそれぞれの機構、ブロックは、電池６３からＤＣ／ＤＣコンバータ６５を経て供給される電力によって駆動する。また、撮影者は、モード設定ボタン６７を操作することにより、所望の撮影モードを設定することができる。設定された撮影モードや、露出条件等の情報は外部表示器６９に表示される。
【００２６】
本実施形態のカメラにおいては、撮影者が多数の測距点の中から１つを選択して、その測距点について自動焦点調節をさせることができる。図４はファインダに表示されうるすべての測距点を示す図である。図４に示すように、測距点は全部で１３点あり、鉛直方向に７点（上から順にＡ、Ｂ、Ｃ、Ｄ、Ｅ、Ｆ、Ｇ）、水平方向に７点（左からＨ、Ｉ、Ｊ、Ｄ、Ｋ、Ｌ、Ｍ）が十字形に配列されている。測距点は、スーパーインポーズブロック３５のＬＥＤから発せられた光により矩形状に点灯表示される。ここで、測距点Ｄは撮影領域中央部に対応した位置に配置されている。また、Ｅ、Ｆ、Ｇは、Ｄについて、それぞれＣ、Ｂ、Ａと対称な位置に配置されており、Ｈ、Ｉ、Ｊは、Ｄについて、それぞれＭ、Ｌ、Ｋと対称な位置に配置されている。
【００２７】
鉛直方向に配列されている測距点（Ａ，Ｂ，Ｃ，Ｄ，Ｅ，Ｆ，Ｇ）においては、隣接する測距点間の距離Ｄ１ｖで等間隔に配置されている。同様に、水平方向に配列されている測距点（Ｈ，Ｉ，Ｊ，Ｄ，Ｋ，Ｌ，Ｍ）においても、隣接する各測距点間の距離Ｄ１Ｈで等間隔に配置されている。なお、Ｄ１ｖとＤ１Ｈは同一であってもよい。
【００２８】
スーパーインポーズブロック３５は、図２に示すように、マウント５とＡＦユニット３９との間に設けられている。スーパーインポーズブロック３５は、１３個の２色発光ＬＥＤ７１、それぞれのＬＥＤの光軸上に設けられたパターンマスク７３およびレンズ７５からなる。ＬＥＤ７１は、ファインダ光学系１４内の上下方向に７個の測距点（図４、ＡないしＧ）と左右方向に７個の測距点（同、ＨないしＭ）に対応して十字形に配列されている。左右方向の中央のＬＥＤと上下方向の中央のＬＥＤ（図４のＤ点に対応）は共通である。ＬＥＤ７１から出射された光は、それぞれ、パターンマスク７３により所定の形状に整形され、レンズ７５を経てピント板９に入射する。なお、それぞれのＬＥＤ７１は、ＣＰＵ２１から送られる駆動信号により、独立に制御される。
【００２９】
測距点の選択について以下に説明する。本実施形態においては、使用される撮像レンズ６の焦点距離に応じて、選択することのできる測距点の数を変更している。適切な数の測距点の中から希望する測距点を選択することにより、撮影者に煩雑な操作を強いることなくコサイン誤差のない撮影環境を提供するためである。
【００３０】
図５はそれぞれの焦点距離において利用可能な測距点が示されたファインダ表示例を示している。図５（ａ）は焦点距離８５ｍｍ以上の場合、（ｂ）は焦点距離５０ｍｍ以上８５ｍｍ未満の場合、（ｃ）は焦点距離３０ｍｍ以上５０ｍｍ未満の場合、（ｄ）は焦点距離３０ｍｍ未満の場合を示している。
【００３１】
測距点の数は、焦点距離が短くなるほど多く、長くなるほど少なくしてある。これは、焦点距離が短いほど、画角が広くなりより多くの測距点から一つの測距点を選択したいという要求が強く、逆に焦点距離が長いほど、画角が狭くなり、より少ない測距点からの選択で足りるからである。また、焦点距離が短いほどコサイン誤差が生じやすいため、測距点を多数配置しておけば、いったん合焦した後にカメラを振るという操作が不要となりコサイン誤差が生じることが少ない。これに対して、焦点距離が長くなるとコサイン誤差が生じにくくなるため、撮影者に煩雑な測距点選択操作を強いる必要がない。また、図５（ｂ）と（ｃ）とでは、測距点の数が同じであるが、焦点距離の短い方が測距点の間隔が大きくなるようにしてある。これは、測距点の間隔を広げることによって、カメラを大きく振ることを防止したものである。
【００３２】
具体的には、図５に示すように、撮影レンズの焦点距離が長いほど（望遠ほど）撮影領域中央部に位置する測距点が、手動選択可能な測距点として決定され、また、撮影レンズの焦点距離が短くなるほど、撮影領域中央部から離れた測距点までを手動可能な測距点として選択することが可能である。したがって、撮影レンズの焦点距離が小さくなるほど、手動選択可能な測距点のうち撮影領域中央部から最も離れた２つの測距点間の距離が大きくなる。
【００３３】
このように、同一方向に配置された測距点のうち、撮影領域中央部から最も離れた２つの測距点同士の距離（Ｓ）を焦点距離が長いほど近く（焦点距離が短いほど遠く）することで、効率よく被写体像に測距点が適切にかぶるような配置にすることができる。この距離は、図５（ｂ）の水平方向では撮影領域中央部に対応するＤから最も離れたＪとＫとの距離Ｓ１Ｈであり、同図の鉛直方向ではＣとＥとの距離Ｓ１Ｖである。同様に、この距離は、図５（ｃ）の水平方向、鉛直方向、図５（ｄ）の水平方向、鉛直方向において、それぞれ、ＩとＬとの距離Ｓ２Ｈ、ＢとＦの距離Ｓ２Ｖ、ＨとＭの距離Ｓ３Ｈ、ＡとＧの距離Ｓ３Ｖである。このとき、Ｓ１Ｈ＜Ｓ２Ｈ＜Ｓ３Ｈ、及び、Ｓ１Ｖ＜Ｓ２Ｈ＜Ｓ３Ｖとなっている。
【００３４】
さらに、隣接する測距点どうしの距離がほぼ等間隔となるような測距点を選択している。例えば、図５（ｂ）の状態においては、隣接する測距点はいずれもほぼＤ１となるように選定する。図５（ｃ）、図５（ｄ）の場合も同様に、隣接する測距点はいずれもＤ２となるように設定してある（ただしＤ２＞Ｄ１）。
【００３５】
隣接する測距点同士の距離（Ｄ）を等間隔にし、焦点距離が短いほどＤを遠くすることで、ユーザーが迅速かつ正確に手動選択可能な測距点を必要十分な数に抑えることができる。
【００３６】
ファインダ内の測距点表示は、以下のように、自動的に変更される。図６は、撮影レンズの焦点距離を検出して、検出された焦点距離に基づいてファインダ内の測距点表示を変更する処理のフローチャートである。撮影者によりカメラの電源が入れられると（ＳＴＥＰ１）、撮影レンズの焦点距離の情報が、ＣＰＵによって、レンズＲＯＭから読み取られて、焦点距離ｆが検出される（ＳＴＥＰ２）。
【００３７】
まず、検出された焦点距離が８５ｍｍ以上であるか否かがＣＰＵにおいて判断される（ＳＴＥＰ３）。焦点距離が８５ｍｍ以上であると判断されたとき（ＳＴＥＰ３でＹＥＳ）は、テーブル３４に記憶された情報に基づいて、ＣＰＵからスーパーインポーズブロックにＤの位置のＬＥＤを点灯するための駆動信号が送られる（ＳＴＥＰ４）。スーパーインポーズブロックは、ＣＰＵからの駆動信号に基づいてＤの位置のＬＥＤのみを緑色に点灯させる（ＳＴＥＰ５）。
【００３８】
次に、ＳＴＥＰ２において、検出された焦点距離が８５ｍｍ以上ではない（ＮＯ）と判断されたときは、焦点距離が５０ｍｍ以上８５ｍｍ未満であるか否かが判断される（ＳＴＥＰ６）。焦点距離が５０ｍｍ以上８５ｍｍ未満である（ＳＴＥＰ６でＹＥＳ）と判断されたときは、テーブル３４に記憶された情報に基づいて、ＣＰＵからスーパーインポーズブロックにＣ、Ｄ、Ｅ、ＪおよびＫの位置のＬＥＤを点灯するための駆動信号が送られる（ＳＴＥＰ７）。スーパーインポーズブロックは、ＣＰＵからの駆動信号に基づいてＣ、Ｄ、Ｅ、ＪおよびＫの位置のＬＥＤのみを緑色に点灯させる（ＳＴＥＰ８）。
【００３９】
さらにＳＴＥＰ６において、検出された焦点距離が５０ｍｍ以上８５ｍｍ未満ではない（ＮＯ）と判断されたときは、焦点距離が３０ｍｍ以上５０ｍｍ未満であるか否かが判断される（ＳＴＥＰ９）。焦点距離が３０ｍｍ以上５０ｍｍ未満であると判断されたとき（ＳＴＥＰ９でＹＥＳ）は、テーブル３４に記憶された情報に基づいて、ＣＰＵからスーパーインポーズブロックにＢ、Ｄ、Ｆ、ＩおよびＬの位置のＬＥＤを点灯するための駆動信号が送られる（ＳＴＥＰ１０）。スーパーインポーズブロックは、ＣＰＵからの駆動信号に基づいてＢ、Ｄ、Ｆ、ＩおよびＬの位置のＬＥＤのみを緑色に点灯させる（ＳＴＥＰ１１）。
【００４０】
また、ＳＴＥＰ９において、検出された焦点距離が３０ｍｍ以上５０ｍｍ未満ではない（ＮＯ）と判断されたときは、焦点距離が３０ｍｍ未満であるか否かが判断される（ＳＴＥＰ１２）。焦点距離が３０ｍｍ未満であると判断されたとき（ＳＴＥＰ１２でＹＥＳ）は、テーブル３４に記憶された情報に基づいて、ＣＰＵからスーパーインポーズブロックにＡ、Ｃ、Ｅ、Ｇ、Ｈ、Ｊ、ＫおよびＭの位置のＬＥＤを点灯するための駆動信号が送られる（ＳＴＥＰ１３）。スーパーインポーズブロックは、ＣＰＵからの駆動信号に基づいてＡ、Ｃ、Ｅ、Ｇ、Ｈ、Ｊ、ＫおよびＭの位置のＬＥＤのみを緑色に点灯させる（ＳＴＥＰ１４）。
【００４１】
さらに、ＳＴＥＰ１２において、焦点距離が３０ｍｍ未満ではない（ＮＯ）と判断されたときは、再び焦点距離を検出する（ＳＴＥＰ２にもどる）。
【００４２】
撮影者は、以上のように表示された測距点の中から任意の点を選択することができる。測距点の選択は、カメラ背面または上面に設けた円形の測距点設定ボタン３（測距点選択手段）を操作することにより行う。この測距点設定ボタン３は、その上下左右の端部４ケ所にそれぞれの向きを示す矢印が表示されており、矢印部分を押すことによりファインダ内の測距点を移動させることができる。測距点を順次移動させて、所望の測距点に至ったときに測距点設定ボタンの中央部分を押すことにより測距点を確定させることができる。測距点設定ボタンの中央部分が押されると、ＣＰＵ２１（測距点選択手段、表示変更手段）はスーパーインポーズブロック３５に対して当該測距点に対応する位置のＬＥＤ７１を赤色に点灯させるための駆動信号を送る。スーパーインポーズブロック（表示変更手段）３５はこの駆動信号を受けて、当該測距点に対応する位置のＬＥＤ７１を赤色に点灯させる。また、測光スイッチ４３が押されると、ＣＰＵ２１はＡＦ駆動機構４１に対して駆動信号を送り、当該測距点において焦点調節を行わせる。
【００４３】
本実施形態については以下の変形が可能である。
本実施形態においては、ＬＥＤ光の色を緑と赤の２色としたが、ほかの色の組み合わせも可能である。また、選択された測距点のみを点灯し、残りの測距点を非点灯とすることも可能である。さらに、選択された測距点と残りの測距点とでＬＥＤの輝度を変えても良い。もちろん光源はＬＥＤ以外のものであってもよい。
【００４４】
本実施形態においては、全測距点と同数の光源（ＬＥＤ）を、各測距点と１対１に対応させて配置していたが、光源の数は測距点の数より少なくてもよく、一つであってもよい。この場合は、各測距点に対応したシャッタ等を設けてもよい。
【００４５】
本実施形態においては、デジタルカメラに適用したが、画像をＣＣＤに記録するカメラに限らず、銀塩フィルムに記録するカメラも含めて一眼レフカメラ全般に適用できる。
【００４６】
本実施形態は、カメラボディに装着されるレンズ鏡筒Ｌをズームレンズとして説明したが、ズーム式レンズは電動のものでも手動のものでもかまわないし、焦点距離が異なる複数の単焦点レンズでも良い。
【００４７】
また、レンズ交換式カメラではなく、カメラ本体内にズームレンズや焦点距離を切換可能な撮影レンズを具備するレンズ一体型のカメラにも適用可能である。
【００４８】
本発明について前記実施形態を参照しつつ説明したが、本発明は前記実施形態に限定されるものではなく、改良の目的または本発明の思想の範囲内において改良または変更が可能である。
【００４９】
【発明の効果】
以上説明したように、本発明によると、焦点距離に応じて測距点の数を変更することとしているため、多数の測距点から所望の測距点を選択する操作が容易化されたオートフォーカスカメラを提供することができる。
【図面の簡単な説明】
【図１】本発明の実施形態に係るオートフォーカスカメラを左後方から見た斜視図である。
【図２】本発明の実施形態に係るズーム式オートフォーカスタイプのデジタルカメラボディの内部を側方から見た図である。
【図３】本発明の実施形態に係るカメラのブロック図である。
【図４】ファインダに表示されうるすべての測距点を示す図である。
【図５】（ａ）は焦点距離８５ｍｍ以上の場合、（ｂ）は焦点距離５０ｍｍ以上８５ｍｍ未満の場合、（ｃ）は焦点距離３０ｍｍ以上５０ｍｍ未満の場合、（ｄ）は焦点距離３０ｍｍ未満の場合の利用可能な測距点が示されたファインダ表示である。
【図６】撮影レンズの焦点距離を検出して、検出された焦点距離に基づいてファインダ内の測距点表示を変更する処理のフローチャートである。
【符号の説明】
Ａ〜Ｍ　測距点
３　測距点設定ボタン（測距点選択部）
６　撮影レンズ
１４　ファインダ光学系
２１　ＣＰＵ（制御手段、光源駆動部、表示変更手段）
３３　レンズＲＯＭ（焦点距離検出手段）
３５　スーパーインポーズブロック（光源駆動部、表示変更手段）
７１　ＬＥＤ
【図１】
2004078178.tif 000003
【図２】
2004078178.tif 000004
【図３】
2004078178.tif 000005
【図４】
2004078178.tif 000006
【図５】
2004078178.tif 000007
【図６】
2004078178.tif 000008